(57)【要約】【課題】テレビ放送を含む複数の情報を、放送されるテレビ番組の性質に応じて、ユーザにとって見やすいようにレイアウトして表示画面に表示することができる電子機器装置及び表示画面レイアウト方法を提供すること。【解決手段】テレビセット１００の表示画面に、テレビ放送を含む複数の情報を表示領域ごとに表示する場合に、インターネット上のＥＰＧデータを基に、放送されるテレビ放送のジャンル、放送される時間帯、放送される番組に出演する出演者等の属性情報毎に、それに対応した表示プログラムを用いて表示画面のレイアウトを変更することとした。【選択図】  図６
2004282647.tif 000002
【特許請求の範囲】
【請求項１】
特定の時間帯に出力される第１の情報に関連する第２の情報が、前記第１の情報の属性によって分類されて記憶されている記憶領域から、特定の属性情報を抽出する抽出手段と、
前記第１の情報を少なくとも含む複数の情報を一の表示画面に表示するためのレイアウト情報を、前記属性情報毎に記憶する記憶手段と、
前記レイアウト情報に応じて、前記表示画面に前記出力される第１の情報を少なくとも含む複数の情報を各表示領域に表示する表示手段と
を具備することを特徴とする電子機器装置。
【請求項２】
請求項１に記載の電子機器装置において、
前記第１の情報は、特定の時間帯に出力されるテレビ放送であり、前記第２の情報は、放送されるテレビ番組の一覧が電子的に記憶されたテレビ番組表データである
ことを特徴とする電子機器装置。
【請求項３】
請求項１に記載の電子機器装置において、
前記複数の情報は、前記第１の情報に関連する第３の情報をも含むものであり、
当該第３の情報を、ネットワークを介して検索するための検索手段を更に具備する
ことを特徴とする電子機器装置。
【請求項４】
請求項２に記載の電子機器装置において、
前記属性情報は、テレビ番組のジャンルに関する情報である
ことを特徴とする電子機器装置。
【請求項５】
複数の情報を表示する電子機器装置の表示画面の表示画面レイアウト方法において、
特定の時間帯に出力される第１の情報に関連する第２の情報が、前記第１の情報の属性によって分類されて記憶されている記憶領域から、特定の属性情報を抽出する工程と、
前記第１の情報を少なくとも含む複数の情報を表示するためのレイアウト情報を、前記属性情報毎に記憶する工程と、
前記レイアウト情報に応じて、前記表示画面に前記出力される第１の情報を少なくとも含む複数の情報を各表示領域に表示する工程と
を具備することを特徴とする表示画面レイアウト方法。
【請求項６】
請求項５に記載の方法であって、
前記第１の情報は、特定の時間帯に出力されるテレビ放送であり、前記第２の情報は、放送されるテレビ番組の一覧を電子的に記憶したテレビ番組表データである
ことを特徴とする表示画面レイアウト方法。
【請求項７】
請求項５に記載の方法であって、
前記複数の情報は、前記第１の情報に関連する第３の情報をも含むものであり、
当該第３の情報を、ネットワークを介して検索する工程を更に具備する
ことを特徴とする表示画面レイアウト方法。
【請求項８】
請求項６に記載の方法であって、
前記属性情報は、テレビ番組のジャンルに関する情報である
ことを特徴とする表示画面レイアウト方法。
【発明の詳細な説明】
【０００１】
【発明の属する技術分野】
本発明は、例えばテレビ、ＰＤＡ（Ｐｅｒｓｏｎａｌ  Ｄｉｇｉｔａｌ  Ａｓｓｉｓｔａｎｔｓ）、携帯電話等の電子機器装置及びその表示画面レイアウト方法に関する。
【０００２】
【従来の技術】
テレビ等の表示部を有する電子機器装置において、テレビ放送だけでなく他のメディアの情報を同時に表示する技術としては、例えば、実況放送の音声信号から関連情報を検索し、当該検索結果を、分割された表示画面にテレビ放送と共に表示するというものがある。（例えば、特許文献１参照。）。
【０００３】
【特許文献１】
特開平１１−２５００６８公報（段落［００４１］、図６）。
【０００４】
【発明が解決しようとする課題】
しかしながら、上記技術においては、各情報が表示される表示画面のレイアウトが予め一意的に決まっているため、放送される情報の性質によっては、当該レイアウトがユーザにとって見にくいものになってしまう場合があった。
【０００５】
本発明はこのような課題を解決するためになされるものであり、テレビ放送を含む複数の情報を、放送されるテレビ番組の性質に応じて、ユーザにとって見やすいようにレイアウトして表示画面に表示することができる電子機器装置及び表示画面レイアウト方法を提供することを目的とする。
【０００６】
【課題を解決するための手段】
上記目的を達成するために、本発明の主たる観点に係る電子機器装置は、特定の時間帯に出力される第１の情報に関連する第２の情報が、前記第１の情報の属性によって分類されて記憶されている記憶領域から、特定の属性情報を抽出する抽出手段と、前記第１の情報を少なくとも含む複数の情報を一の表示画面に表示するためのレイアウト情報を、前記属性情報毎に記憶する記憶手段と、前記レイアウト情報に応じて、前記表示画面に前記出力される第１の情報を少なくとも含む複数の情報を各表示領域に表示する表示手段とを具備することを特徴とする。
【０００７】
本発明では、属性情報毎に表示画面のレイアウトを変更することができるため、出力される情報の属性に応じた見やすいレイアウトで、出力される情報を含む複数の情報を表示することができる。
【０００８】
本発明の一の形態によれば、前記第１の情報が、特定の時間帯に出力されるテレビ放送であり、前記第２の情報が、放送されるテレビ番組の一覧を電子的に記憶したテレビ番組表データであることを特徴とする。これにより、電子的に記憶したテレビ番組表データからテレビ番組の属性情報を抽出し、当該属性情報を利用することで、放送されるテレビ番組の属性情報に応じて表示画面のレイアウトを変更することができるため、テレビ番組の属性に応じた見やすいレイアウトで、テレビ放送を含む複数の情報を表示することができる。
【０００９】
本発明の一の形態によれば、前記複数の情報が、前記第１の情報に関連する第３の情報をも含むものであり、当該第３の情報を、ネットワークを介して検索するための検索手段を更に具備することを特徴とする。これにより、第１の情報に関連する情報をネットワークを介して検索し、表示することができるため、ネットワーク上の様々な情報を、出力される第１の情報と共に表示することができる。
【００１０】
本発明の一の形態によれば、前記属性情報が、テレビ番組のジャンルに関する情報であることを特徴とする。これにより、テレビ番組のジャンルによって表示画面のレイアウトを変更することができるため、ニュース、スポーツ、ドラマ等、ジャンルの違いに応じて見やすいレイアウトで、テレビ放送を含む複数の情報を表示することができる。
【００１１】
本発明の他の観点に係る表示画面レイアウト方法は、複数の情報を表示する電子機器装置の表示画面の表示画面レイアウト方法において、特定の時間帯に出力される第１の情報に関連する第２の情報が、前記第１の情報の属性によって分類されて記憶されている記憶領域から、特定の属性情報を抽出する工程と、前記第１の情報を少なくとも含む複数の情報を表示するためのレイアウト情報を、前記属性情報毎に記憶する工程と、前記レイアウト情報に応じて、前記表示画面に前記出力される第１の情報を少なくとも含む複数の情報を各表示領域に表示する工程とを具備することを特徴とする。
【００１２】
本発明では、第２の情報から抽出した属性情報毎に表示画面のレイアウト情報を記憶する工程等を具備することとしたため、属性情報毎にレイアウトを変更することができ、属性情報に応じた見やすいレイアウトで、出力される情報を含む複数の情報を表示することができる。
【００１３】
本発明の一の形態によれば、前記第１の情報が、特定の時間帯に出力されるテレビ放送であり、前記第２の情報が、放送されるテレビ番組の一覧を電子的に記憶したテレビ番組表データであることを特徴とする。これにより、テレビ番組表データから抽出した属性情報毎に表示画面のレイアウト情報を記憶することとしたため、属性情報毎にレイアウトを変更することができ、テレビ放送を含む複数の情報を、当該テレビ放送の属性に応じた見やすいレイアウトで表示することができる。
【００１４】
本発明の一の形態によれば、前記複数の情報が、前記第１の情報に関連する第３の情報をも含むものであり、当該第３の情報を、ネットワークを介して検索する工程を更に具備することを特徴とする。これにより、第１の情報に関連する第３の情報をネットワークを介して検索することとしたため、ネットワーク上の様々な情報を前記第１の情報と共に表示することができる。
【００１５】
本発明の一の形態によれば、前記属性情報が、テレビ番組のジャンルに関する情報であることを特徴とする。これにより、スポーツ系レイアウト、ニュース系レイアウトというように、表示画面のレイアウト情報をテレビ番組のジャンル毎に記憶することとしたため、属性情報毎にレイアウトを変更することができ、テレビ放送を含む複数の情報を、当該テレビ放送のジャンルに応じた見やすいレイアウトで表示することができる。
【００１６】
【発明の実施の形態】
以下、本発明の実施の形態を図面に基づき説明する。なお、以下に実施形態を説明するにあたっては電子機器装置の例としてテレビセットを中心に説明するが、これに限られるものではない。
【００１７】
図１は本発明の一実施形態に係るテレビセットのシステムを示す概略図、図２は図１の制御部のブロック図、図３は本発明において使用するインターネット上のテレビ番組表の例を示す図、図４は放送される番組のジャンルによってテレビ番組が分類されて掲載されているインターネット上のテレビ番組表の例を示す図、図５は本発明における表示プログラムデータの一例を示す図、図６はテレビセット１００の動作の概略図、図７は本発明において表示画面をレイアウトするまでの流れを表したフローチャート図、図８は本発明におけるレイアウト自動設定モード画面の例を示す図、図９は本発明における表示画面のレイアウトの一例を示す図、図１０は本発明における複数のレイアウト例を示す図である。
【００１８】
図１に示すように、テレビセット１００は、外部情報源との接続手段であるインターフェース部１０１と、当該インターフェース部１０１より入力された映像情報と音響情報とを分離するＡ／Ｖ（Ａｕｄｉｏ／Ｖｉｓｕａｌ）ＳＷ１０２と、映像情報を処理する映像部１０３と、音響情報を処理する音響部１０４と、ユーザからの操作命令を入力する操作入力部１０５と、各部の制御と共に各種の演算処理を実行する制御部１０６とを有する。
【００１９】
ここで、テレビセット１００は、テレビ番組が放送されているときに、視聴するテレビ番組の属性に応じて、表示画面のレイアウトを変更する機能を有する。なお、属性とは、放送される番組のジャンル（ニュース、スポーツ、ドラマ等。更には、スポーツならば野球、サッカー、ゴルフ等。）、番組が放送される時間帯、番組に出演する出演者等の、番組に属する特性をいう。
【００２０】
インターフェース部１０１には、ＷＷＷ（Ｗｏｒｌｄ  Ｗｉｄｅ  Ｗｅｂ）１０７との接続手段であるネットワークインターフェース部１０８、ＢＳ（Ｂｒｏａｄｃａｓｔｉｎｇ  Ｓａｔｅｌｌｉｔｅ）放送を選局するＢＳチューナ１０９、地上波放送を選局する地上波チューナ１１０、例えば外部映像情報を入力するビデオ入力端子１１１、音響情報を入力するオーディオ入力端子１１２、メモリーカードの読み書きを行うメモリーカードスロット１１３、デジタルビデオカメラ等からの情報を取り込むためのｉ．ＬＩＮＫ（ＤＶ端子）１１４等が設けられている。なお、ビデオ入力端子１１１からは、例えばＤＶＤ（Ｄｉｇｉｔａｌ  Ｖｅｒｓａｔｉｌｅ  Ｄｉｓｃ）、ＰＣ（Ｐｅｒｓｏｎａｌ  Ｃｏｍｐｕｔｅｒ）、ゲーム機などのデジタルデータを扱う電子機器１１５からの映像情報を取り込むことができる。
【００２１】
映像部１０３は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）などのディスプレイ１１６と、Ａ／Ｖ  ＳＷ１０２によって選択された映像情報からディスプレイに表示可能な映像信号を生成するＹ／Ｃシングシグナルプロセッサ１１７とからなる。
【００２２】
音響部１０４は、Ａ／Ｖ  ＳＷ１０２によって選択された音響情報を処理するサウンドプロセッサ１１８と、サウンドプロセッサ１１８により出力されたオーディオ信号を増幅するオーディオアンプ１１９と、増幅後のオーディオ信号を聴覚的に出力するスピーカ１２０とで構成される。
【００２３】
操作入力部１０５は、テレビセット１００本体に設けられたキー／スイッチ部１２１と、リモートコントローラ１２２との間でＩｒ（Ｉｎｆｒａｒｅｄ）無線通信を行う赤外線通信部１２３とからなる。
【００２４】
また、制御部１０６には、図２に示すように、演算と制御とをするＣＰＵ（Ｃｅｎｔｒａｌ  Ｐｒｏｃｅｓｓｉｎｇ  Ｕｎｉｔ）２０１、必要に応じて一時的に映像情報、音響情報、データ及びソフト等を記録し、電子機器装置であるテレビセット１００の制御をより円滑に行うＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、データ格納部２０４及び各種のソフトウェアが格納されたソフトウェア格納部２０５などが備えられている。
【００２５】
データ格納部２０４には、表示画面のレイアウトを行うためのＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）データである表示プログラムが記憶された複数の表示プログラムファイル２０６が、番組の属性情報毎に対応するように制御部１０６の制御下格納されている。
【００２６】
例えば、番組のジャンルに関しては、ニュース系レイアウト用のファイルやスポーツ系レイアウト用のファイル等、テレビ番組が放送される時間帯に関しては、朝のレイアウト用ファイルや昼のレイアウト用のファイル等を格納している。そして、当該表示プログラムファイル２０６を変更することにより、表示画面のレイアウトを容易に変更することができる。
【００２７】
なお、表示プログラムについては後で詳述する。
【００２８】
また、ソフトウェア格納部２０５には、属性情報抽出機構２０７、関連情報検索機構２０８、記述読込み機構２０９、記述判定機構２１０、レイアウト機構２１１、情報制御機構２１２等が格納されている。
【００２９】
ここで、属性情報抽出機構２０７はＣＰＵ２０１の制御下例えばインターネット上で電子的にテレビ番組表（ＥＰＧ、Ｅｌｅｃｔｒｉｃ  Ｐｒｏｇｒａｍ  Ｇｕｉｄｅ）を掲載したＷｅｂサイトへアクセスし、当該ＥＰＧのデータからテレビ番組の属性情報を抽出することができる。
【００３０】
当該Ｗｅｂサイトの中には例えば図３のようなテレビ番組表が掲載されており、当該番組表のデータを解析することにより、番組の放送時間帯、番組の出演者、番組を放送する放送局等の属性情報を抽出することが可能である。また、Ｗｅｂサイトによっては、例えば図４に示すように、放送される番組のジャンルによってテレビ番組が分類されて掲載されているものがあり、当該分類を利用することにより、放送される番組のジャンルを特定し、当該ジャンル情報を抽出することもできる。図４は、「ショッピング」というカテゴリで分類された例である。また、Ｗｅｂページ上には直接ジャンルが記述されていないサイトでも、当該ページ上でジャンル毎に番組を検索できるようになっており、そのために予めジャンルが分類されているため、当該分類を利用してジャンル情報を抽出することも可能である。
【００３１】
また、関連情報検索機構２０８は、ＣＰＵ２０１の制御下例えば属性情報を基に、テレビ番組及び属性情報に関連する情報をインターネット上で検索することができる。
【００３２】
更に記述読込み機構２０９は、ＣＰＵ２０１の制御下例えばデータ格納部２０４に表示プログラムファイル２０６として格納する表示プログラムの記述を、読み込むもので、当該読み込まれた情報は記述判定機構２１０へ送られる。
【００３３】
また、記述判定機構２１０はＣＰＵ２０１の制御下例えば読み込まれたプログラムが正しいＸＭＬ文章であるかを判定し、正しいＸＭＬ文章であればパーシングをして、更にＳＭＩＬ文章であるかを判定し、ＳＭＩＬ文章であればパーシングをしてＳＭＩＬ文章を意味のある部分に切り分けることができる。
【００３４】
更に記述判定機構２１０は、ＣＰＵ２０１の制御下例えば切り分けられた部分を、複数の表示領域を定義しそれぞれレイアウトする部分と、その定義された表示領域にどの外部情報源からの情報を表示するかを定義すると共に、他の情報を付加させる部分に分けてそれぞれの内容を判定することができる。
【００３５】
具体的には、記述判定機構２１０は、切り分けられた部分を例えば＜ｈｅａｄ＞要素と＜ｂｏｄｙ＞要素として捉え、＜ｈｅａｄ＞要素では＜ｌａｙｏｕｔ＞要素に表示領域が定義されているかを判定し、＜ｂｏｄｙ＞要素では定義された表示領域にどの外部情報源からの情報を表示するかが定義されているのかを判定することができる。
【００３６】
また、レイアウト機構２１１はＣＰＵ２０１の制御下例えば記述読み込み機構２０９により読み込まれたプログラムの、記述判定機構２１０の判定に基づくレイアウト情報を受けて、表示画面をレイアウトすることができる。
【００３７】
更に情報制御機構２１２は、ＣＰＵ２０１の制御下例えば記述判定機構２１０によって与えられた表示情報制御用のパラメータにより、ＢＳ放送等の具体的チャンネル情報をＢＳチューナ１０９に、個別機器のコントロール情報等を対応する機器に受け渡すことができる。
【００３８】
次に、表示画面のレイアウトを行うためのＳＭＩＬデータである表示プログラムについて説明する。
【００３９】
テレビセット１００においては、データ格納部２０４に格納された表示プログラムの記述に、ＳＭＩＬ等のＸＭＬ（ｅＸｔｅｎｓｉｂｌｅ  Ｍａｒｋｕｐ  Ｌａｎｇｕａｇｅ）をベースとした記述言語を用いることにより、表示画面上の各表示領域のサイズ及び位置を規定することを可能にしている。
【００４０】
ここでＸＭＬとは、Ｗｅｂ上で文書やデータを交換したり、配布したりするときの標準となる可能性のある重要なマークアップ言語である。ＸＭＬの特徴として、タグを自分で定義できることや、データの内容の意味がタグで表されていること等があり、拡張可能性があるとされている。
【００４１】
また、ＳＭＩＬとは、静止画や動画、音声等のマルチメディアデータを統合してＷｅｂページとの同期を実現するものである。
【００４２】
ＳＭＩＬの記述による表示プログラムでは、外部情報源との間で信号のやり取りをするためのインターフェースを選択する表示情報を、ＵＲＩ（Ｕｎｉｆｏｒｍ  Ｒｅｓｏｕｒｃｅ  Ｉｄｅｎｔｉｆｉｅｒｓ）のスキーマを利用して規定している。
【００４３】
具体的には、表示プログラムは、複数の表示領域を定義しそれぞれレイアウトする部分と、その定義された表示領域にどの外部情報源からの情報を表示するかを定義すると共に、他の情報を付加させる部分を有している。これにより、特定の外部情報源からの情報を表示することを定義できるので、ＵＲＩのルールを利用して自由に外部情報源からの情報を表示画面でレイアウトすることができる。
【００４４】
図５に、本発明においてＳＭＩＬで記述した表示プログラムデータの一例を示す。
【００４５】
ｒｅｇｉｏｎ要素５０１〜ｒｅｇｉｏｎ要素５０２にある  ”ｒｅｇｉｏｎ”というタグ名と属性名  ”ｉｄ”とを使って  ”ｒｅｇｉｏｎ  ｉｄ”とし、複数の表示領域をそれぞれ属性値  ”ｒ１”、”ｒ２”、”ｒ３”、”ｒ４”を用いて特定している。なお、例えばｒｅｇｉｏｎ要素５０４においては、ｔｏｐ＝１４４、ｌｅｆｔ＝３２０とあるので、表示領域ｒ４の左上が、表示画面の左上から下方向へ１４４、右方向へ３２０の位置になることを示している。同様に、ｈｅｉｇｈｔとｗｉｄｔｈでそれぞれ３３６という当該表示領域の縦の長さと、３２０という横の長さを規定している。
【００４６】
また、ｖｉｄｅｏ要素５０５、ｉｍｇ要素５０６、ｔｅｘｔ要素５０７及び５０８のように、上述の  ”ｒｅｇｉｏｎ  ｉｄ”により定義された各領域ｒ１、ｒ２、ｒ３及びｒ４にはどの外部情報源からの情報を表示するかを、ＵＲＩを利用し、その後に属性名  ”ｓｒｃ”及びＵＲＬを記述することにより特定することができる。
【００４７】
例えば、ｖｉｄｅｏ要素５０５では、
＜ｖｉｄｅｏ  ｉｄ＝”ｉｄ１”  ｓｒｃ＝”ｖｉｄｅｏｉｎｐｕｔ：ｔｅｒｒｅｓｔｒｉａｌ？ｆｕｊｉｔｖ．ｃｏ．ｊｐ／”ｒｅｇｉｏｎ＝”ｒ１”／＞と記述し、”ｓｒｃ”の後に続くＵＲＬにより外部情報源を特定している。この場合は、フジテレビのテレビ放送を表示することを意味している。
【００４８】
このように、表示プログラムに、複数の表示領域を定義しそれぞれレイアウトする部分と、当該定義された表示領域にどの外部情報源からの情報を表示するかを定義することとしたので、特定の外部情報原からの情報を表示画面において自由にレイアウトすることが可能となる。
【００４９】
次に、以上のように構成された電子機器装置の例であるテレビセット１００の動作を、表示画面のレイアウトを中心に説明する。
【００５０】
まず、テレビセット１００の動作の概略を図６で説明する。
【００５１】
テレビセット１００のＣＰＵ２０１は、属性情報抽出機構２０７にネットワークインターフェース部１０８を介してインターネット１０７上のＥＰＧのデータへアクセスさせ、当該データから属性情報を抽出させる。また、ＣＰＵ２０１は抽出された属性情報を記述読込み機構２０９へ受け渡し、記述読込み機構２０９にデータ格納部２０４から、受け渡された属性情報に対応する表示プログラムファイル２０６を呼び出させ、呼び出させたファイルを読み込ませる。そしてＣＰＵ２０１は記述判定機構２１０に当該ファイルの判定をさせ、レイアウト機構２１１に当該ファイルに基づいて表示画面をレイアウトさせる。
【００５２】
以上の動作を、図７及び図８より詳細に説明する。
【００５３】
まず、ユーザがテレビセット１００でテレビ放送を視聴している最中に、図８に示すように、リモートコントローラ１２２等に予め設けられた”レイアウト自動設定モードボタン”を押下するとその情報が操作入力部１０５に受け渡される。
【００５４】
するとＣＰＵ２０１は、テレビセット１００の表示画面にレイアウト自動設定モード画面を起動させる（図７のＳＴ７０１）。当該画面を観たユーザは、当該画面上で、テレビ番組のどのような属性に基づいて表示画面をレイアウトするかについて決定する。すなわち、番組のジャンルによるか、番組が放送されている時間帯によるか、番組に出演している出演者によるか、それともレイアウト設定を中止するか等についてリモートコントローラ１２２のボタン等を用いて選択し、入力する（図７のＳＴ７０２）。なお、時間帯によってレイアウトする場合は、朝、昼等のそれぞれのレイアウトをユーザが別の選択画面で選択し、入力する。また、出演者によってレイアウトする場合には、また別の選択画面で具体的な出演者名を選択し、入力する。
【００５５】
更に、レイアウト設定をしないとの入力情報がＣＰＵ２０１に伝えられたときは、ＣＰＵ２０１は元のテレビ放送の画面の表示に戻らせる（図７のＳＴ７０３）。
【００５６】
また、ユーザの入力が完了すると、ＣＰＵ２０１は、リモートコントローラ１２２からの入力情報を属性情報抽出機構２０７に受渡し、属性情報抽出機構２０７に、図３及び図６に示すようにテレビセット１００が受信しているテレビ放送の受信チャンネルデータを認識させ、現在時刻データを生成させる。
【００５７】
更にＣＰＵ２０１は、属性情報抽出機構２０７に当該受信チャンネルデータ及び現在時刻データを基に、ネットワークインターフェース部１０８を介してインターネット上のＥＰＧを掲載したＷｅｂサイトへアクセスさせる（図７のＳＴ７０４）。
【００５８】
また、ＣＰＵ２０１は属性情報抽出機構２０７に受信チャンネルデータ及び生成した現在時刻データとＥＰＧデータとを照合させ、ＥＰＧのデータのテーブルであるＨＴＭＬ（Ｈｙｐｅｒ  Ｔｅｘｔ  Ｍａｒｋｕｐ  Ｌａｎｇｕａｇｅ）を解析させる。これにより、ＣＰＵ２０１は属性情報抽出機構２０７に受信している番組のジャンル、番組の放送時間帯、番組の出演者等の属性情報を抽出させ、ダウンロードさせる（図７のＳＴ７０５）。
【００５９】
更にＣＰＵ２０１は、属性情報抽出機構２０７に当該属性情報を記述読み込み機構に受け渡させる。なお、ダウンロードができない場合はＣＰＵ２０１は属性情報抽出機構２０７にエラー処理させ、ＳＴ７０１の前に戻させる（図７のＳＴ９０６）。
【００６０】
次に、ＣＰＵ２０１は属性情報抽出機構２０７から属性情報の通知を受けた記述読込み機構２０９に、図６に示すようにデータ格納部２０４から当該属性毎に予め記憶してある表示プログラムファイル（２０６ａ、２０６ｂ、２０６ｃ、・・・）のうち、ダウンロードした属性情報に対応するファイルを呼び出させ、取得させる（図７のＳＴ７０７）。この際のファイルの識別は、ファイル名や、ファイル中に書き込まれたＸＭＬ上のメタデータによって行う。
【００６１】
ファイルを取得できなかった場合ＣＰＵ２０１は、記述読込み機構２０９にエラー処理させ、ＳＴ７０１の前に戻させ、記述読込み機構２０９がファイルを取得できたときは、記述読込み機構２０９に当該プログラムの記述の読込みを開始させる（図７のＳＴ７０８）。
【００６２】
そして、ＣＰＵ２０１は記述読込み機構２０９に、読込んだ記述を記述判定機構２１０へ受け渡させ、記述判定機構２１０に当該受け渡された記述がＸＭＬ文章か否か及びＳＭＩＬ文章か否かを判定させ、記述判定機構２１０がＸＭＬ文章及びＳＭＩＬ文章でないと判定したときは、エラー処理させＳＴ９０１の前に戻させる（図７のＳＴ７０６）。
【００６３】
また、ＣＰＵ２０１は記述判定機構２１０が当該受け渡された記述がＳＭＩＬ文章であると判定したときは、記述判定機構２１０にＳＭＩＬ文章のパーシングを開始させ、記述判定機構２１０はＳＭＩＬ文章の切り分けを開始する（図７のＳＴ７１０）。
【００６４】
次に、ＣＰＵ２０１は記述判定機構２１０に、切り分けられた部分を例えば、複数の表示領域を定義しそれぞれレイアウトする部分と、その定義された表示領域にどの外部情報源からの情報を表示するかを定義させると共に、他の情報を付加させる部分に分けて表示画面をレイアウトさせる（図７のＳＴ７１１）。
【００６５】
すなわち、ＣＰＵ２０１は記述判定機構２１０に図５に示すようなＳＭＩＬ文章において、＜ｌａｙｏｕｔ  ｔｙｐｅ＝ｔｅｘｔ．．．から＜／ｌａｙｏｕｔ＞までのｒｅｇｉｏｎ要素のレイアウト情報をレイアウト機構２１１に伝えさせ、テレビセット１００の表示画面をレイアウト機構２１１にレイアウトさせる。
【００６６】
続いて、ＣＰＵ２０１は記述判定機構２１０にＳＭＩＬ文章のＢａｓｉｃ  Ｍｅｄｉａから”ｓｒｃ”の属性を抽出させ、その後の記述から、ｒｅｇｉｏｎ要素によって定義された表示領域にどの外部情報源からの情報を表示するかを判定させる（図７のＳＴ７１２）。なお、外部情報源のうち、インターネット上に存在するものは、ＣＰＵ２０１は関連情報検索機構２０８に検索させることとなる。
【００６７】
そして、ＣＰＵ２０１は、記述判定機構２１０に、判定させた外部情報源に関する情報をレイアウト機構２１１に送らせ、レイアウト機構２１１に、判定された情報に基づいて、レイアウトされた表示画面、例えば図９及び図１０に示すような表示画面を表示させる（図７のＳＴ７１３）。
【００６８】
以上で、電子機器装置の例であるテレビセット１００の表示画面のレイアウトを中心とした動作が終了する。
【００６９】
なお、ユーザの入力により表示画面のレイアウトが決定され、表示された後でも、当該設定を変更することは勿論可能である。その場合は、レイアウト自動設定モード画面を再び表示させて、設定のやり直しをすればよい。
【００７０】
また、レイアウト表示された表示画面の例である図９及び図１０について説明すると、図３に示すように表示画面は、テレビ放送等の動画及び当該テレビ放送に関連する複数の情報をそれぞれ表示するための表示領域を有し、各領域の情報は同時に表示されている。なお、関連する複数の情報は、属性情報を基にインターネット上で検索されたものであってもよいし、テレビセット１００自体が表示能力を有する動画若しくは静止画等でもよい。同図においては、ゴルフ番組（９０１）を視聴している場合に、ゴルフに関連する情報をインターネット上で検索し、当該検索結果のＷｅｂページ（９０２及び９０３）をゴルフ番組と共に表示する例を示している。
【００７１】
更に図１０は、複数のレイアウト例を示す図である。ゴルフ等のスポーツ番組を視聴する際には、ユーザはテレビ放送と関連情報を同等の割合で視聴するよりも、テレビ放送の方に比重を置いて、しかも大きな画面で視聴したい場合が多いと考えられるため、スポーツ番組及びその関連情報を表示する際のレイアウトは、同図（１）のようにテレビ放送の表示領域が広いレイアウトに設定してある。
【００７２】
一方、ニュース番組の場合には、情報番組という性質から、ユーザはできるだけ多くの情報を一度に取得することを望む場合が多いと思われる。よってニュース番組の場合には、同図（２）のように、２つのテレビ放送を同時に表示し、かつそれぞれに関連するインターネット上の情報も表示するようなレイアウトに設定してある。
【００７３】
また、ユーザによっては、番組のジャンルによってその都度レイアウトが変わるよりも、放送される番組の時間帯（例えば朝、昼、夕方、夜、深夜等）によってレイアウトが変わる方が便利な場合も想定されるため、例えば同図（４）のように、ニュース番組の多い朝の時間帯にはより多くの情報を一度に表示できるようなレイアウトにすることも可能である。
【００７４】
更に、ユーザが好きなタレントが同じ時間帯に複数の番組に出演しているような場合には、同図（５）のように当該複数の番組を同時に視聴できるようなレイアウトにすることも可能である。その他にも、視聴する放送局によってレイアウトを変更したり、曜日によってレイアウトを変更したりするなど、放送される番組の属性によって様々なレイアウト変更が可能である。
【００７５】
このように、本実施形態によれば、テレビセット１００の表示画面に、テレビ放送を含む複数の情報を表示領域ごとに表示する場合に、インターネット上のＥＰＧデータを基に、放送されるテレビ放送のジャンル、放送される時間帯、放送される番組に出演する出演者等の属性情報毎に、それに対応した表示プログラムを用いて表示画面のレイアウトを変更することとしたので、放送されるテレビ番組の性質に応じた見やすいレイアウトでテレビ番組及びその関連情報を提供することができる。
【００７６】
また、表示画面のレイアウト方法を、ＳＭＩＬを用いて記述した複数の表示プログラムに集約しているため、当該表示プログラムを変更するだけで、ユーザの複雑な操作無しに容易にレイアウトを変更することができる。
【００７７】
なお、本発明は以上説明した実施形態に限定されるものではなく、本発明の技術思想の範囲内で適宜変更して実施することができる。
【００７８】
例えば、上記実施形態においては本発明をテレビセットに適用した例について説明したが、本発明は、他にも携帯電話やＰＤＡ等、インターネットに接続する機能を有する電子機器装置ならばどんなものでも適用が可能である。
【発明の効果】
以上説明したように、本発明ではテレビ放送を含む複数の情報を、放送されるテレビ番組の性質に応じて、ユーザにとって見やすいようにレイアウトして表示画面に表示できる。
【図面の簡単な説明】
【図１】本発明の一実施形態に係るテレビセットのシステムを示す概略図である。
【図２】図１の制御部のブロック図である。
【図３】本発明において使用するインターネット上のテレビ番組表の例を示す図である。
【図４】放送される番組のジャンルによってテレビ番組が分類されて掲載されているインターネット上のテレビ番組表の例を示す図である。
【図５】本発明においてＳＭＩＬで記述した表示プログラムデータの一例を示す図である。
【図６】テレビセット１００の動作の概略図である。
【図７】本発明において表示画面をレイアウトするまでの流れを表したフローチャート図である。
【図８】本発明におけるレイアウト自動設定モード画面の例を示す図である。
【図９】本発明における表示画面のレイアウトの一例を示す図である。
【図１０】本発明における複数のレイアウト例を示す図である。
【符号の説明】
１００  テレビジョンセット
１０１  インターフェース部
１０２  Ａ／Ｖ（Ａｕｄｉｏ  ／  Ｖｉｓｕａｌ）  ＳＷ
１０３  映像部
１０４  音響部
１０５  操作入力部
１０６  制御部
１０７  インターネット
１０８  ネットワークインターフェース部
１０９  ＢＳチューナ
１１０  地上波チューナ
１１１  ビデオ入力端子
１１２  オーディオ入力端子
１１３  メモリカードスロット
１１４  ｉ．ＬＩＮＫ
１１５  電子機器
１１６  ディスプレイ
１１７  Ｙ／Ｃシンク  シグナル  プロセッサ
１１８  サウンドプロセッサ
１１９  オーディオアンプ
１２０  スピーカ
１２１  スイッチ部
１２２  リモートコントローラ
１２３  赤外線通信部
２０１  ＣＰＵ
２０２  ＲＡＭ
２０３  ＲＯＭ
２０４  データ格納部
２０５  ソフトウェア格納部
２０６  表示プログラムファイル
２０７  属性情報抽出機構
２０８  関連情報検索機構
２０９  記述読込み機構
２１０  記述判定機構
２１１  レイアウト機構
２１２  情報制御機構
【図１】
2004282647.tif 000003
【図２】
2004282647.tif 000004
【図３】
2004282647.tif 000005
【図４】
2004282647.tif 000006
【図５】
2004282647.tif 000007
【図６】
2004282647.tif 000008
【図７】
2004282647.tif 000009
【図８】
2004282647.tif 000010
【図９】
2004282647.tif 000011
【図１０】
2004282647.tif 000012